(57)【要約】【課題】  煮込み工程への搬入、煮込み、煮込みからの搬出において、セパレータが接触したり当たったりしてもセパレータを傷つけにくい燃料電池セパレータ保持用治具の提供。【解決手段】（１）燃料電池用セパレータの濡れ性を向上させるために燃料電池用セパレータを煮込む際に用いられる燃料電池セパレータを保持する治具５０であって、該治具５０の少なくともセパレータ１８と接触する部分が弾性体である。（２）複数のセパレータを、互いの面がほぼ平行となるようにかつ互いの間に間隔をもたせて、支持する。（３）治具５０はセパレータの面がほぼ鉛直となるように保持する。（４）治具５０は、前記セパレータの発電面を露出させた状態でセパレータを保持する。【選択図】        図２
2007115470.tif 000002
【特許請求の範囲】
【請求項１】
燃料電池用セパレータの濡れ性を向上させるために燃料電池用セパレータを煮込む際に用いられる燃料電池セパレータを保持する治具であって、該治具の少なくともセパレータと接触する部分が弾性体である燃料電池セパレータ保持用治具。
【請求項２】
複数の前記セパレータを、互いの面がほぼ平行となるようにかつ互いの間に間隔をもたせて、支持する請求項１記載の燃料電池セパレータ保持用治具。
【請求項３】
前記治具は前記セパレータを液体に浸す際に用いられる治具であり、セパレータの面がほぼ鉛直となるように保持する請求項１または請求項２記載の燃料電池セパレータ保持用治具。
【請求項４】
前記治具は、前記セパレータの発電面を露出させた状態でセパレータを保持する請求項１〜請求項３の何れかに記載の燃料電池セパレータ保持用治具。
【請求項５】
燃料電池用セパレータが、煮込みの前にショットブラストをかけられたものである請求項１〜請求項４の何れかに記載の燃料電池セパレータ保持用治具。
【請求項６】
燃料電池の構成部品を保持する装置であって、該構成部品と接触する部分が弾性体である燃料電池構成部品保持装置。
【発明の詳細な説明】
【技術分野】
【０００１】
本発明は、燃料電池セパレータ保持用治具、燃料電池構成部品保持装置に関し、とくに燃料電池セパレータを煮込み、洗浄する際に使用するセパレータ保持用治具、燃料電池構成部品保持装置に関する。
【背景技術】
【０００２】
燃料電池生成水によるガス流路におけるフラッディングを抑制するために、セパレータのガス流路領域における濡れ性を向上することが望まれる。セパレータのガス流路領域の濡れ性を向上させるには、セパレータの表面に付着している、またはセパレータの表面を構成している撥水性物質を除去することが有効であり、そのうちの１つの方法に煮込みがある。
図９は、従来の煮込みを示す。
まず、図９の（イ）に示すように、セパレータ７０を煮込み缶７３に１枚ずつ挿入し、セレータ７０を横向き（セパレータ７０が水平となる向き）にして積載していく。セパレータ７０間にはスペーサ７１を挟む。この状態で、煮込む。
ついで、図９の（ロ）に示すように、煮込み缶から取り出したセパレータ７０を縦向き（セパレータ７０が鉛直となる向き）にし、かつ互いの間に間隔をおいて、金属製の洗浄治具７４に搭載し、セパレータ７０と洗浄治具７４を共に洗浄槽７５に入れて洗浄液で洗浄する。
ついで、図９の（ハ）に示すように、洗浄されたセパレータ７０を乾燥缶７７に１枚ずつ挿入し、セパレータ７０を横向き（セパレータ７０が水平となる向き）にして積載していく。セパレータ７０間にはスペーサ７６を挟む。この状態で、乾燥する。
特開２００４−３４２４１９号公報は、燃料電池セパレータの製造における、セパレータの洗浄（図９の（ロ）に対応）を開示している。その場合、洗浄水を加熱することも開示しており、その場合は、煮込みに近い効果もあると考えられる。
【特許文献１】特開２００４−３４２４１９号公報
【発明の開示】
【発明が解決しようとする課題】
【０００３】
しかし、従来の煮込み方法には以下の課題があった。
すなわち、セパレータを保持する治具が金属製のため、治具により、あるいは治具への装着あるいは離脱時に落下して治具に当たったりすることにより、セパレータ（とくにカーボンセパレータ、ただしカーボンセパレータに限らず）を傷つけるおそれがあった。
【０００４】
本発明の目的は、煮込み工程への搬入、煮込み、煮込みからの搬出において、セパレータが接触したり当たったりしてもセパレータを傷つけにくい燃料電池セパレータ保持用治具を提供することにある。
【課題を解決するための手段】
【０００５】
上記課題を解決する、そして上記目的を達成する、本発明は、つぎのとおりである。
（１）  燃料電池用セパレータの濡れ性を向上させるために燃料電池用セパレータを煮込む際に用いられる燃料電池セパレータを保持する治具であって、該治具の少なくともセパレータと接触する部分が弾性体である燃料電池セパレータ保持用治具。
（２）  複数の前記セパレータを、互いの面がほぼ平行となるようにかつ互いの間に間隔をもたせて、支持する（１）記載の燃料電池セパレータ保持用治具。
（３）  前記治具は前記セパレータを液体に浸す際に用いられる治具であり、セパレータの面がほぼ鉛直となるように保持する（１）または（２）記載の燃料電池セパレータ保持用治具。
（４）  前記治具は、前記セパレータの発電面を露出させた状態でセパレータを保持する（１）〜（３）の何れかに記載の燃料電池セパレータ保持用治具。
（５）  燃料電池用セパレータが、煮込みの前にショットブラストをかけられたものである（１）〜（４）の何れかに記載の燃料電池セパレータ保持用治具。
（６）  燃料電池の構成部品を保持する装置であって、該構成部品と接触する部分が弾性体である燃料電池構成部品保持装置。
【発明の効果】
【０００６】
上記（１）の燃料電池セパレータ保持用治具によれば、治具の少なくともセパレータと接触する部分が弾性体であるため、治具がセパレータと接触しても、あるいはセパレータが落下して治具に当たっても、セパレータは傷つきにくい。
上記（２）の燃料電池セパレータ保持用治具によれば、上記（１）の効果に加えて、煮込み中に、治具が、セパレータを、互いの面がほぼ平行となるようにかつ互いの間に間隔をもたせて、支持するので、セパレータ間にスペーサを挟む必要がなく、スペーサがあった場合にスペーサに触れているセパレータ部分の濡れ性が悪くなるという問題がなくなる。
上記（３）の燃料電池セパレータ保持用治具によれば、上記（１）の効果に加えて、煮込み中に、治具が、セパレータを、セパレータの面がほぼ鉛直となるように保持するので、液への出し入れの際にセパレータにかかる液圧、気泡からセパレータにかかる圧力、等によってワークに面直方向の反りが生じにくく、従来あった反りが生じた時のセパレータ同士の接触部分の濡れ性が悪くなるという問題がなくなる。
上記（４）の燃料電池セパレータ保持用治具によれば、上記（１）の効果に加えて、治具が、セパレータの発電面を露出させた状態でセパレータを保持するので、セパレータのガス流路の濡れ性を向上させることができ、燃料電池のフラッディングを抑制することができる。
上記（５）の燃料電池セパレータ保持用治具によれば、上記（１）の効果に加えて、セパレータが、煮込みの前にショットブラストをかけられたものであるので、セパレータは、ショットブラストによる撥水性の付着物や樹脂リッチ撥水性層の削り取りと、煮込みによる、ショットブラストで除去できなかった撥水性の付着物や樹脂リッチ撥水性層の溶出除去によって、ほぼ完全に、かつ、効果的に撥水性の付着物や樹脂リッチ撥水性層を除去することができ、燃料電池のフラッディングを抑制することができる。
上記（６）の燃料電池構成部品保持装置によれば、保持装置の少なくとも燃料電池構成部品（セパレータ、ＭＥＡ、樹脂フレーム等）と接触する部分が弾性体であるため、保持装置が燃料電池構成部品と接触しても、あるいは燃料電池構成部品が落下して保持装置に当たっても、燃料電池構成部品は傷つきにくい。この場合、煮込まない状態であっても、適用可能である。
【発明を実施するための最良の形態】
【０００７】
以下に、本発明の燃料電池セパレータ保持用治具、燃料電池構成部品保持装置を、図１〜図８を参照して説明する。
本発明の燃料電池セパレータ保持用治具、燃料電池構成部品保持装置を用いて製造されたセパレータ、ＭＥＡ、樹脂フレームが組み込まれる燃料電池は、たとえば固体高分子電解質型燃料電池１０である。燃料電池１０は、たとえば燃料電池自動車に搭載される。ただし、自動車以外に用いられてもよい。
【０００８】
固体高分子電解質型燃料電池１０は、図６〜図８に示すように、膜−電極アッセンブリ（ＭＥＡ：Membrane-Electrode Assembly ）１９とセパレータ１８とを重ね合わせて構成される。
膜−電極アッセンブリは、イオン交換膜からなる電解質膜１１とこの電解質膜１１の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層１３、１６が設けられる。
【０００９】
膜−電極アッセンブリとセパレータ１８を重ねて燃料電池（セル）１０を構成し、セル１９を積層してセル積層体とし、セル積層体のセル積層方向両端に、ターミナル２０、インシュレータ２１、エンドプレート２２を配置し、セル積層体をセル積層方向に締め付け、両端のエンドプレート２２をセル積層方向に延びる締結部材（たとえば、テンションプレート２４）にボルト・ナット２５等により固定して、セル積層体にセル積層方向の締結荷重を付与して、燃料電池スタック２３を構成する。
【００１０】
ＭＥＡ１９を挟む一対のセパレータ１８のうち、アノード側のセパレータ１８には、アノード１４に燃料ガス（水素）を供給するための燃料ガス流路２７が形成され、カソード側のセパレータ１８には、カソード１７に酸化ガス（酸素、通常は空気）を供給するための酸化ガス流路２８が形成されている。また、セパレータ１８には冷媒（通常、冷却水）を流すための冷媒流路２６も形成されている。セパレータ１８には、非発電領域において、燃料ガスマニホールド３０、酸化ガスマニホールド３１、冷媒マニホールド２９が形成されている。燃料ガスマニホールド３０は燃料ガス流路２７と連通しており、酸化ガスマニホールド３１は酸化ガス流路２８と連通しており、冷媒マニホールド２９は冷媒流路２６と連通している。
各種流体は、互いに、かつ外部から、それぞれシールされる。各セル１０のＭＥＡを挟む２つのセパレータ１８間は、第１のシール部材３２によってシールされており、隣接するセル１９同士の間は、第２のシール部材３３によってシールされている。
【００１１】
各セル１０の、アノード１４側では、水素を水素イオン（プロトン）と電子に変換する電離反応が行われ、水素イオンは電解質膜１１中をカソード１７側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水が生成され、次式にしたがって発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１２】
セパレータ１８は、カーボン粉末と樹脂バインダを混ぜて成形したカーボンセパレータ、または、金属板をプレス成形したメタルセパレータ（メタルセパレータの場合は、樹脂フレームを伴うことが多い）、または、樹脂中の導電性物質を混ぜて成形した導電性樹脂セパレータ、等からなる。
【００１３】
燃料電池の発電では、上式に示されるように、カソード側に生成水を生じ、一部は膜を通してアノード側に移行する。水分が過多になってフラッディングを生じると、反応ガスの電極への供給が阻害され、発電性能が阻害される。生成水を円滑にガス流路から下流側に排出しフラッディングを抑制して発電性能を良好かつ安定に維持するために、セパレータのガス流路面は濡れ性（親水性）が高いことが要求される。
【００１４】
セパレータ１８がカーボンセパレータの場合、成形型の離型剤（シリコン系、フッ素系離型剤）がセパレータの成形型からの離型時にセパレータ表面に付着すると、セパレータ表面が疎水性（濡れ性が悪い）となり、また、成形中にセパレータ材料中の樹脂バインダがセパレータ表面に集中すると、樹脂バインダが疎水性のためセパレータ表面が疎水性となるので、成形後に、セパレータ表面層が除去されることが望まれる。セパレータ１８がメタルセパレータの場合も、メタルの表面にカーボン皮膜が形成される場合は疎水性表面層を除去することが望まれる。
【００１５】
本発明の燃料電池セパレータ保持用治具、燃料電池構成部品保持装置５０を用いて実行する煮込み工程を有する、燃料電池の製造方法は、図４に示すように、セパレータ（ワーク）１８のガス流路２７、２８を構成する凹凸面にショットブラスト（セラミック粒子を噴射する）をかける工程６０と、ショットブラストされた後のセパレータ（ワーク）１８を本発明の燃料電池セパレータ保持用治具５０に積載し煮込み缶５７に入れて水（純水やイオン交換水など）にて煮込みを実行する工程６１と、セパレータ（ワーク）１８を治具５０に搭載したまま、治具５０ごと煮込み缶５７から洗浄槽５８に移しセパレータ（ワーク）１８を洗浄する工程６２と、同様に治具５０ごと洗浄槽５８から乾燥缶５９に移しセパレータ（ワーク）１８を乾燥する工程６３と、を含む。ワークは、セパレータ以外に、ＭＥＡや樹脂フレームであってもよい。
すなわち、ショットブラストを行って効率的にセパレータ（ワーク）表面層を削り取り、ショットブラストで取りきれずに残っている疎水層を煮込みで除去する方法である。
【００１６】
本発明の燃料電池セパレータ保持用治具、燃料電池構成部品保持装置５０は、燃料電池用セパレータ（ワーク）１８の濡れ性を向上させるために燃料電池用セパレータ（ワーク）１８を煮込む際に用いられる燃料電池セパレータ（ワーク）１８を保持する治具、燃料電池構成部品保持装置であり、たとえば、セパレータ（ワーク）１８を搭載して治具、保持装置ごと煮込み缶５７に入れ、セパレータ（ワーク）１８を煮込みし、煮込みを終了した時にセパレータ（ワーク）１８を煮込み缶５７から出して洗浄槽５８に移す際に、用いられる。
【００１７】
本発明の燃料電池セパレータ保持用治具、燃料電池構成部品保持装置５０は、図２に示すように、たとえば、セパレータ（ワーク）１８を載せるベース５１と、ベース５１から上方に向かって立ち上がる複数本（図示例では４本）の柱５２と、柱５２に支持されセパレータ（ワーク）１８を支持する複数のサポート５３と、対向するサポート５３の対向縁部に形成された複数のスリット５４と、サポート５３を上下から挟んでサポート５３を適宜の高さに柱５２に固定するナット５５と、治具５０を引掛けるための引掛けフック５６と、を有する。
【００１８】
燃料電池セパレータ保持用治具、燃料電池構成部品保持装置５０の、少なくともセパレータ（ワーク）１８と接触する部分は弾性体（この弾性体には、たとえば、ＭＣナイロンという商品名で市販されているものを利用できる）から構成されている。図２の治具５０では、セパレータ１８と接触する部分は、ベース５１の上面（ベース５１の全体である必要はなく、ベース５１の厚さ方向上面部だけでもよい）と、サポート５３のスリット５４の表面である。柱５２やナット５５やフック５６は、金属製、たとえばステンレススチール、である。また、弾性体は、ゴム、樹脂である。
複数のセパレータ（ワーク）１８は共通の弾性体サポート５３によって支持されることが望ましい。
【００１９】
治具、燃料電池構成部品保持装置５０の少なくともセパレータ１８と接触する部分が弾性体であることにより、治具、燃料電池構成部品保持装置５０がセパレータ（ワーク）１８と接触しても、あるいはセパレータ（ワーク）１８が落下して治具、燃料電池構成部品保持装置５０に当たっても、セパレータ（ワーク）１８は傷つきにくい。
【００２０】
燃料電池セパレータ保持用治具、燃料電池構成部品保持装置５０は、複数のセパレータ（ワーク）１８を、複数のセパレータ（ワーク）１８の互いの面がほぼ平行となるように、かつ、複数のセパレータ（ワーク）１８の互いの間に間隔をもたせて、支持する。サポート５３の複数のスリット５４は、スリット５４同士の間に間隔があるので、各セパレータ１８の端部を各スリット５４に挿入することにより、複数のセパレータ（ワーク）１８間に間隔をもたせることができ、かつ、複数のセパレータ（ワーク）１８を互いに平行とすることができる。
【００２１】
煮込み中に、治具５０が、セパレータ（ワーク）１８を、互いの面がほぼ平行となるようにかつ互いの間に間隔をもたせて、支持するので、セパレータ（ワーク）１８間にスペーサを挟む必要がなく、スペーサがあった場合にスペーサに触れているセパレータ（ワーク）部分の濡れ性が悪くなるという問題を解決することができる。
【００２２】
燃料電池セパレータ保持用治具、燃料電池構成部品保持装置５０は、セパレータ（ワーク）１８を煮込み缶５７中の液体に浸したり液体から取り出す際に用いられる治具、燃料電池構成部品保持装置である。治具、燃料電池構成部品保持装置５０は、セパレータ（ワーク）１８の面がほぼ鉛直または水平に対して斜めとなるように保持する。これによって、セパレータ（ワーク）１８を煮込み缶５７中の液体に浸すしたり液体から取り出す際に、セパレータ（ワーク）１８に液圧がかかりにくくなる。セパレータ（ワーク）１８を水平にして液に挿入するとセパレータ（ワーク）１８に液圧がかかりセパレータ（ワーク）１８の撓みや反りや割れの原因になるので、それを防止するためである。セパレータ（ワーク）１８の面がほぼ鉛直または水平に対して斜めとなるようにすることにより、煮込み中の気泡がセパレータ（ワーク）１８に付着することを抑制することができる。
【００２３】
煮込み中に、治具、燃料電池構成部品保持装置５０が、セパレータ（ワーク）１８を、セパレータ（ワーク）１８の面がほぼ鉛直となるように保持するので、液への出し入れの際にセパレータ（ワーク）１８にかかる液圧や、気泡からセパレータ（ワーク）１８にかかる圧力、等によってセパレータ（ワーク）１８に面直方向の反りが生じにくく、従来あった反りが生じた時のセパレータ（ワーク）同士の接触部分の濡れ性が悪くなるという問題を解決することができる。
【００２４】
燃料電池セパレータ保持用治具、燃料電池構成部品保持装置５０は、セパレータ（ワーク）１８の発電面（ガス流路２７、２８側の面）を露出させた状態でセパレータ（ワーク）１８を保持する。露出したセパレータ（ワーク）１８の発電面は煮込み缶５７中の液体に十分に触れて、煮込みによる表面層の除去が効果的に行われる。
これによって、セパレータ（ワーク）１８のガス流路２７、２８の面の濡れ性を向上させることができ、燃料電池のフラッディングを抑制することができる。
【００２５】
煮込み缶５７に入れられる燃料電池用セパレータ（ワーク）１８は、図４において煮込み工程６１の前にショットブラスト工程６０があることからわかるように、煮込みの前にショットブラストをかけられたものである。
ショットブラストは、セパレータ（ワーク）１８の発電領域のガス流路面にかけられ、冷媒流路面と、ガス流路２７、２８がある側の面の非発電領域（接着剤シールがある部分）には、マスキングして、ショットブラストはかけられない。これは、セパレータ（ワーク）１８のガス流路２７、２８がある側の面の非発電領域（接着剤シールがある部分）にショットブラストをかけると面が荒れてセパレータ（ワーク）表面と接着剤との接着力が低下し漏れが生じるのを防止するためである。
ただし、セパレータ（ワーク）１８のガス流路２７、２８がある側の面の非発電領域（接着剤シールがある部分）は、煮込み時には露出させて（マスキングしない）、煮込み液と接触するようにする。これは煮込みにより面を滑らかにして接着剤との接着力を増大させるためである。
【００２６】
セパレータ（ワーク）１８が、煮込みの前にショットブラストをかけられたものであるので、セパレータ（ワーク）１８は、ショットブラストによる撥水性の付着物や樹脂リッチ撥水性層の削り取りと、煮込みによる、ショットブラストで除去できなかった撥水性の付着物や樹脂リッチ撥水性層の溶出除去によって、ほぼ完全に、かつ、効果的に撥水性の付着物や樹脂リッチ撥水性層を除去することができ、燃料電池のフラッディングを抑制することができる。
【００２７】
図３に示すように、燃料電池セパレータ保持用治具、燃料電池構成部品保持装置５０は、セパレータ（ワーク）１８と面接触はせず線接触するようにしてセパレータ（ワーク）１８を保持することが望ましい。たとえば、サポート５３のスリット５４をＶ字状または側面がテーパとなるように形成することにより、セパレータ（ワーク）１８の端部とスリット５４の当たり面が線接触するようになる。これは、セパレータ（ワーク）１８とスリット５４が面接触すると、面接触している部位のセパレータ（ワーク）１８に煮込み液が十分に接触しないため、煮込みによる不純物除去、セパレータ（ワーク）表面層の除去の効果が得られにくくなるので、それを防止するためである。ただし、治具、燃料電池構成部品保持装置５０のセパレータ（ワーク）との接触部が煮込み液を含むような材料（たとえば、スポンジ等）で作製されている場合は、線接触させなくてもよい。
【００２８】
燃料電池セパレータ保持用治具、燃料電池構成部品保持装置５０で保持されるセパレータ１８がカーボンセパレータの場合は、ショットブラストおよび煮込みにより、効果的にセパレータ表面層を除去することができる。煮込みのみでセパレータ表面層を除去すると表面層除去に時間がかかり過ぎ、ショットブラストのみでセパレータ表面層を除去すると除去し残し部分が生じるからである。ショットブラスト時間を長くして除去し残し部分を少なくしようとすると、表面層除去部分の除去した層の厚さが厚くなり過ぎ（削り過ぎが生じ）、セパレータ強度を低下させたりリブと拡散層との間を通り抜けるガス量を増加させたりするので、ショットブラスト時間を単純に長くすることはできない。ショットブラストを適正時間かけ、ついで煮込みを実行することにより、煮込みによってセパレータ表面層を除去する時間が２０時間程度になり、煮込みのみによってセパレータ表面層を除去する時間に比べて半減できる。
【００２９】
燃料電池セパレータ保持用治具、燃料電池構成部品保持装置５０にセパレータ（ワーク）１８を積載したまま、煮込み、洗浄、乾燥の各処理を実施するためには、セパレータ（ワーク）１８を搭載した治具、燃料電池構成部品保持装置５０を各容器５７、５８、５９から容易に取り出せることが要求される。そのためには上方から治具、燃料電池構成部品保持装置５０に接近できて治具、燃料電池構成部品保持装置５０を着脱可能に保持できる把手があるか、または引掛け具を引掛けることができる引掛けフック５６や穴があることが望ましい。図２の治具には引掛けフック５６があるので、治具５０の缶への挿入、取り出しは容易である。
【００３０】
本発明では、図１、図４の洗浄、乾燥工程の変形例として、図５に示す工程を採用してもよい。図５の方法は、煮込み後にワーク（セパレータ１８）を缶５７から出すことなく洗浄する方法である。
図５では、煮込み缶５７に液排出用のバルブ６５を設けておいて、煮込み終了時に、煮込み缶５７の治具５０とセパレータ１８は取り出さずにそのままにして、バルブ６５を開にして煮込み液を排出する（図５の（イ））。ついで、全煮込み液が排出すると、バルブ６５を閉じて煮込み缶５７の中に常温の洗浄液を投入し、煮込み缶５７の中のセパレータ１８を洗浄する（図５の（ロ））。洗浄終了時に、煮込み缶５７の治具５０とセパレータ１８は取り出さずにそのままにして、バルブ６５を開にして洗浄液を排出する（図５の（ハ））。ついで、全洗浄液が排出すると、煮込み缶５７の中のセパレータ１８を、自然乾燥するか、または風を送り込むことにより強制乾燥する（図５の（ニ））。
【００３１】
図５の方法では、図１〜図４の治具５０をそのまま用いることにより、従来の横積み方式（図９）よりも液の排出性が良好で、高効率である。横積み方式（図９）の場合は、セパレータ面上の水滴がたまったままになり、煮込み液が洗浄液に混ざってしまったり、乾燥の効率が落ちたりする。
図５の方法ではバルブ６５を設けて液を排出する場合を示したが、ホースなどを用いてサイフォンの原理を用いた排出や、ポンプによる排出も可能である。
図５の洗浄方法では、洗浄専用スペースを設ける必要がない。
【図面の簡単な説明】
【００３２】
【図１】本発明の燃料電池セパレータ保持用治具、燃料電池構成部品保持装置を用いて実行する煮込み工程を有する燃料電池の製造方法の、工程順に示した、装置の斜視図である。
【図２】本発明の燃料電池セパレータ保持用治具、燃料電池構成部品保持装置の斜視図である。
【図３】本発明の燃料電池セパレータ保持用治具、燃料電池構成部品保持装置とセパレータ（ワーク）との接触部の一部の平面図である。
【図４】本発明の燃料電池セパレータ保持用治具、燃料電池構成部品保持装置を用いて実行する煮込み工程を有する燃料電池の製造方法の工程図である。
【図５】本発明の図４に示す工程のうち洗浄工程、乾燥工程の変形例を示す斜視図である。
【図６】本発明の燃料電池セパレータ保持用治具、燃料電池構成部品保持装置を用いて製造された燃料電池セパレータ（ワーク）を組み込んだ燃料電池の側面図である。
【図７】図６の一部の拡大断面図である。
【図８】図６のセパレータ部位の正面図である。
【図９】従来の燃料電池の製造方法の、工程順に示した、装置の斜視図である。
【図１０】図９の煮込み工程でセパレータ（ワーク）間にスペーサを挟む場合の、セパレータ（ワーク）とスペーサの正面図である。
【図１１】図９でスペーサを細型スペーサにした場合の、セパレータ（ワーク）とスペーサの正面図である。
【図１２】図１１の側面図である。
【符号の説明】
【００３３】
１０  （固体高分子電解質型）燃料電池
１１  電解質膜
１３、１６  拡散層
１４  アノード
１７  カソード
１８  セパレータ（ワーク）
１９  ＭＥＡ
２０  ターミナル
２１  インシュレータ
２２  エンドプレート
２３  燃料電池スタック
２４  締結部材（テンションプレート）
２５  ボルト
２６  冷媒流路（冷却水流路）
２７  燃料ガス流路
２８  酸化ガス流路
２９  冷媒マニホールド
３０  燃料ガスマニホールド
３１  酸化ガスマニホールド
３２  第１のシール部材
３３  第２のシール部材
５０  燃料電池セパレータ保持用治具
５１  ベース
５２  柱
５３  サポート
５４  スリット
５５  ナット
５６  フック
５７  煮込み缶
５８  洗浄槽
５９  乾燥缶
６０  ショットブラスト工程
６１  煮込み工程
６２  洗浄工程
６３  乾燥工程
６５  バルブ
７０  従来セパレータ
７１、７２  スペーサ
７３  煮込み缶
７４  洗浄治具
７５  洗浄槽
７６  スペーサ
７７  乾燥缶
【図１】
2007115470.tif 000003
【図２】
2007115470.tif 000004
【図３】
2007115470.tif 000005
【図４】
2007115470.tif 000006
【図５】
2007115470.tif 000007
【図６】
2007115470.tif 000008
【図７】
2007115470.tif 000009
【図８】
2007115470.tif 000010
【図９】
2007115470.tif 000011
【図１０】
2007115470.tif 000012
【図１１】
2007115470.tif 000013
【図１２】
2007115470.tif 000014